(57)【特許請求の範囲】
【請求項１】
一方の面である上面と他方の面である下面とを有し略水平に配置される取付板にあけられた取付開口穴に、前記下面側から埋め込まれることで前記取付板に取り付けられる埋込型の照明器具において、
複数の光源が実装される実装面と、前記実装面の反対側の面となる裏面とを有する光源実装基板と、
前記光源実装基板に実装された前記複数の光源を収納して前記複数の光源の発した光を出射する光出口が形成されると共に、内側が反射面に形成され、かつ、前記光出口の周縁に設けられた外向フランジ部であって前記照明器具が前記取付開口穴に埋め込まれると、前記取付開口穴の周縁周辺の前記下面に対向する外向フランジ部を有する反射部と、
前記光出口の周に沿うように前記反射部に取り付けられる複数の第１支持具と、
前記光出口の周に沿うように前記反射部に取り付けられる弾性体である複数の第２支持具と
を備え、
前記複数の第１支持具は、
前記照明器具が前記取付開口穴に埋め込まれると、前記取付板の前記上面を、略鉛直方向に押圧することで前記照明器具を支持し、
前記複数の第２支持具は、
前記照明器具が前記取付開口穴に埋め込まれると、前記取付開口穴の前記上面側の周縁を、前記略鉛直方向と略水平方向との成分に分解可能な斜め方向に前記弾性体の復元力に基づく押圧力によって押圧することで前記照明器具を支持し、
前記埋込型の照明器具は、さらに、
前記光源実装基板の前記裏面側を受けることで前記光源実装基板が取り付けられる平坦部を有し、前記複数の光源の発光に伴って前記光源実装基板に発生した熱を前記平坦部から吸収して放熱する放熱部を備え、
前記複数の第１支持具と、前記複数の第２支持具とは、
前記反射部に同数が取り付けられ、
前記第２支持具は、
前記反射部において、前記第１支持具どうしの間の位置に取り付けられることを特徴とする埋込型の照明器具。
【請求項２】
前記複数の第１支持具は、
前記外向フランジ部に立設されたアームと、
前記アームに離接可能でかつ上下方向移動可能に取り付けられた押え金具と、
前記押え金具の下端側が前記アームから離れる方向でかつ前記押え金具を前記アームの下方へ移動させる方向に付勢すると共に、前記アームの上部において前記押え金具を前記アームに近接させて保持するＶ型バネと、
前記取付板の前記下面に押し当てられることで前記Ｖ型バネの保持を解除する引き落し具と
を備え、
前記押え金具は、
前記引き落し具によって前記Ｖ型バネの保持を解除された場合に、前記取付板の前記上面を、略鉛直方向に押圧することを特徴とする請求項１に記載の埋込型の照明器具。
【請求項３】
前記複数の第１支持具と、前記複数の第２支持具とは、
前記反射部に３個ずつ取り付けられることを特徴とする請求項１または請求項２に記載の埋込型の照明器具。
【請求項４】
前記複数の第２支持具は、いずれも、
板ばねであることを特徴とする請求項１から請求項３のいずれか一項に記載の埋込型の照明器具。
【請求項５】
前記光源実装基板に実装される前記複数の光源は、
ＬＥＤであることを特徴とする請求項１から請求項４のいずれか一項に記載の埋込型の照明器具。
【発明の詳細な説明】
【技術分野】
【０００１】
本発明は、天井板などの取り付け板にあけられた取り付け開口に埋め込んで取り付ける埋込型のＬＥＤ照明器具に関する。
【背景技術】
【０００２】
近年、ＬＥＤを用いた照明器具では高出力化（大光量化）が求められており、照明器具の器具発光面が大型化し、ＬＥＤを実装するＬＥＤ基板が大きくなり、ＬＥＤ基板からの発熱量が大きくなっている。ＬＥＤ基板からの発熱量の増大に伴いヒートシンクも大きくなり、照明器具全体の重量が増大している。
【０００３】
従来では、バネの復元力を用いた２個ないし３個の取付装置（例えば特許文献１の取付装置３）で、照明器具を天井に取り付けていた。しかし、ヒートシンクの大型化に伴い照明器具の重量が増大すると、２、３個の取付装置で照明装置を固定することが困難となる。また、特許文献２の本体取付バネでは、照明器具の重量をささえられない場合もある。
【０００４】
照明器具の重量を支えることが可能なバネとした場合、バネの復元力が強くなりすぎてしまい、天井を破損する可能性もある。
【０００５】
照明器具の重量を支持しつつ天井破損の防止を図るため、例えば特許文献３で使用しているような板ばねを４個以上用いることも考えられるが、各板ばねの取り付けの際、各板バネを同時に抑えることが困難であり、作業性も悪化する。
【０００６】
また、特許文献１の取付装置を３個以上とした場合は作業性は良好であるが、バネＡＳＳＹの幅が太いため、埋め込み穴径の小さな器具には対応ができなくなってしまう。
【０００７】
また、照明装置の取付装置は、地震等により振動が発生した場合に、照明装置を固定、保持することが要求される。取付装置として板バネを用いる場合は、左右方向（水平方向）、及び上下方向の動きを規制することはできるが、さまざまな板厚の天井板に対応することが困難である。つまり、板厚の薄い天井板に対しては、側面でみて板バネ形状が水平気味になるので上下方向の支持力は大きいが、板厚の厚い天井板の場合は側面で見て板バネ形状が垂直側に近づくので上下方向の支持力は小さくなる。すなわち、板バネの場合には上下方向の支持に課題がある。
【０００８】
特許文献１のような取付装置の場合は、上下方向の動きは規制するが、横方向の動きが規制できない。その為、埋め込み穴（天井穴）との間にクリアランスがあると、照明器具自体が水平方向に動いてしまう。
【先行技術文献】
【特許文献】
【０００９】
【特許文献１】特開平９−１２９０２３号公報
【特許文献２】特開２０１０−１８２４３２号公報
【特許文献３】特開２００６−４０７７３号公報
【発明の概要】
【発明が解決しようとする課題】
【００１０】
この発明は、天井に取り付けられる埋込型の照明装置の、上下方向及び水平方向の動きを拘束する構成の提供を目的とする。
【課題を解決するための手段】
【００１１】
この発明の埋込型の照明器具は、
一方の面である上面と他方の面である下面とを有し略水平に配置される取付板にあけられた取付開口穴に、前記下面側から埋め込まれることで前記取付板に取り付けられる埋込型の照明器具において、
複数の光源が実装される実装面と、前記実装面の反対側の面となる裏面とを有する光源実装基板と、
前記光源実装基板に実装された前記複数の光源を収納して前記複数の光源の発した光を出射する光出口が形成されると共に、内側が反射面に形成され、かつ、前記光出口の周縁に設けられた外向フランジ部であって前記照明器具が前記取付開口穴に埋め込まれると、前記取付開口穴の周縁周辺の前記下面に対向する外向フランジ部を有する反射部と、
前記光出口の周に沿うように前記反射部に取り付けられる複数の第１支持具と、
前記光出口の周に沿うように前記反射部に取り付けられる弾性体である複数の第２支持具と
を備え、
前記複数の第１支持具は、
前記照明器具が前記取付開口穴に埋め込まれると、前記取付板の前記上面を、略鉛直方向に押圧することで前記照明器具を支持し、
前記複数の第２支持具は、
前記照明器具が前記取付開口穴に埋め込まれると、前記取付開口穴の前記上面側の周縁を、前記略鉛直方向と略水平方向との成分に分解可能な斜め方向に前記弾性体の復元力に基づく押圧力によって押圧することで前記照明器具を支持することを特徴とする。
【発明の効果】
【００１２】
この発明により、天井に取り付けられる埋込型の照明装置に対して、上下方向及び水平方向の動きを、簡易な構成で拘束することができる。
【図面の簡単な説明】
【００１３】
【図１】実施の形態１における照明器具６００の斜視図。
【図２】実施の形態１における照明器具６００の分解斜視図。
【図３】実施の形態１における放熱部６１０の組み付け状態を示す図。
【図４】実施の形態１における放熱部６１０が反射部６７０（ヒートシンク固定部６７３）に取り付けられた状態を示す図。
【図５】実施の形態１における板バネ６７１及び止め具６７２の取り付け概要を示す図。
【図６】実施の形態１における板バネ６７１、止め具６７２によって、天井板６８０に対して照明器具６００の移動が拘束される状態を示す図。
【図７】実施の形態１における照明器具６００を天井板６８０に設けられた取付開口穴６８１に取り付ける過程を示す図。
【図８】実施の形態１における照明器具６００の取り付け前の（ａ）上面図、（ｂ）Ａ−Ａ断面図、（ｃ）Ｃ方向矢視図。
【図９】実施の形態１における照明器具６００の取り付け後の（ａ）上面図、（ｂ）Ａ−Ａ断面図、（ｃ）Ｃ方向矢視図。
【図１０】実施の形態１における照明器具本体５０１の斜視図。
【図１１】実施の形態１におけるＶ型バネ５０５をアーム５０４に組み付けた状態を示す斜視図。
【図１２】実施の形態１におけるアーム５０４にＶ型バネ５０５を組み付けた状態の側面図。
【図１３】実施の形態１における押え片５０６ａの下端部と照明器具本体５０１の外向フランジ部５０２によって天井板５１０を挟持する状態を示す図。
【図１４】実施の形態１における照明器具の斜視図。
【図１５】図１４の照明器具を天井に固定するための板バネの配置説明図。
【図１６】実施の形態１における照明器具の天井への取り付け方法を示す図。
【図１７】実施の形態１における照明器具８００の外観を示す斜視図及び分解斜視図。
【図１８】実施の形態１における本体部１００をさらに分解した斜視図。
【図１９】実施の形態１における本体取り付けバネ１８０を示す正視図。
【図２０】実施の形態１における機器本体１１０を示す正面図及びＢ−Ｂ端面図（一部）及び破断背面図。
【図２１】実施の形態１における板バネ６７１，止め具６７２の取り付けバリエーションを示す図。
【発明を実施するための形態】
【００１４】
実施の形態１．
図１は、本実施の形態１に係る照明器具６００の斜視図である。図２は、照明器具６００の分解斜視図である。図３は、放熱部６１０の組み付け状態を示す図である。図４は、放熱部６１０が反射部６７０（ヒートシンク固定部６７３）に取り付けられた状態を示す。図５は、反射部６７０への、板バネ６７１（第２支持具）及び止め具６７２（第１支持具）の取り付けの概要を示す図である。
【００１５】
（照明器具６００の特徴）
照明器具６００は、例えば天井板（取付板）などの取付開口穴に埋め込まれた状態で使用される天井埋込型の照明器具である。実施の形態１に係る照明器具６００の特徴は、以下の点である。照明器具６００は、図３、あるいは図５（ｂ）、（ｃ）に示すように、３個の「板バネ６７１」が化粧枠６７６の周に沿って、照明器具６００が天井板に設置されたときの化粧枠天井側に取り付けられる。また、３個の「止め具６７２」が化粧枠６７６の周に沿って、化粧枠天井側に取り付けられる。図３に示すように、それぞれの止め具６７２は、板バネ６７１どうしの間に配置される。
図６は、板バネ６７１、止め具６７２によって、天井板６８０に対して照明器具６００の移動が拘束される状態を示す図である。照明器具６００は、上面６８０Ａと下面６８０Ｂとを有し略水平に配置される天井板６８０（取付板）にあけられた取付開口穴６８１に、下面６８０Ｂ側から埋め込まれることで天井板６８０に取り付けられる。図６（ａ）は、照明器具６００が天井板６８０に取り付けられた場合の断面図であり、図６（ａ）の断面Ａ−Ａに相当する。図６（ｂ）は、図６（ａ）のＸ方向矢視を模式的に描いた図であり、板バネ６７１、止め具６７２は、Ｘ方向矢視で、化粧枠６７６の周に略６０度間隔で配置される。図６（ａ）に示すように、止め具６７２の押え金具６７２−６は、化粧枠６７６の外向フランジ部６７６−１と共に照明器具６００の天井板６８０に対する上下方向（白抜き矢印）の移動を拘束する。また、板バネ６７１は、天井板６８０に開けられた取付開口穴６８１の天井板６８０の上面６８０Ａ側の縁をＹ方向に押圧することで照明器具６００の水平方向の移動を拘束（白抜き矢印方）する。すなわち板バネ６７１は、Ｘ方向矢視（図６（ｂ））において、化粧枠６７６の円形状の周に沿って略１２０度おきに配置されており、Ｙ１方向に取付開口穴６８１の縁を押圧するので照明器具６００の水平方向の移動が拘束される。板バネ６７１、止め具６７２による照明器具６００の移動拘束の詳細は、後述する。このように照明器具６００の特徴は、照明器具６００が３個の板バネ６７１と、板バネ６７１どうしの間に配置された３個の止め具６７２とを備え、照明器具６００は止め具６７２と外向フランジ部６７６−１とで上下方向の動きが規制され、板バネ６７１で水平方向の動きが規制されることで、耐振動性能が向上する点にある。このように、３つの止め具６７２は、照明器具６００が取付開口穴６８１に埋め込まれると、天井板６８０の上面６８０Ａを、略鉛直方向（図６（ａ）のＺ方向）に押圧することで照明器具６００を支持する。また３つの板バネ６７１は、照明器具６００が取付開口穴６８１に埋め込まれると、取付開口穴６８１の上面６８０Ａ側の周縁を、略鉛直方向と略水平方向との成分に分解可能な斜め方向（図６（ａ）のＹ方向）にバネ復元力に基づく押圧力によって押圧することで照明器具６００を支持する。
【００１６】
次に図２を参照して、照明器具６００の構成を説明する。照明器具６００は、放熱部６１０、絶縁シート６２０、ＬＥＤ基板６３０、押さえ枠６５０、カバー６６０、反射部６７０を備える。
【００１７】
（放熱部６１０）
放熱部６１０は、ＬＥＤ基板６３０が取り付けられる基板取付面６１１（平坦部）を備える。放熱部６１０は、基板取付面６１１に取り付けられたＬＥＤ基板６３０に実装されたＬＥＤ６４０から発せられる熱を放熱するヒートシンクである。基板取付面６１１の裏側には、ＬＥＤ６４０から発せられる熱を効率よく放熱するための放熱フィン６１９が設けられる。放熱部６１０は、熱を伝達する金属、例えば、アルミニウムにより形成される。
【００１８】
（絶縁シート６２０）
絶縁シート６２０は、ＬＥＤ基板６３０と基板取付面６１１との間に配置される。絶縁シート６２０は、ＬＥＤ基板６３０の断面から露出する金属部分と基板取付面６１１との間を電気的に絶縁する。絶縁シート６２０は、ＬＥＤ基板６３０の周縁の断面から露出する金属部分と基板取付面６１１との絶縁距離を確保するため、ＬＥＤ基板６３０よりも大きく形成される。
【００１９】
（ＬＥＤ基板６３０）
ＬＥＤ基板６３０は、光源である複数のＬＥＤ６４０が実装される実装面６３４と、実装面６３４の裏側の面である非実装面６３５（裏面）とを有する。ＬＥＤ基板６３０は、例えば、アルミニウム基板である。
【００２０】
（基板取付ねじ６３１）
基板取付ねじ６３１（固定ねじ）は、ＬＥＤ基板６３０の所定の箇所を基板取付面６１１に固定するためのねじである。基板取付ねじ６３１は、経年劣化が少なく信頼性の高い金属性のねじである。ブッシュ６３２は、絶縁材により形成されており、基板取付ねじ６３１の一部を覆って、基板取付ねじ６３１の絶縁を確保するための部材である。
【００２１】
（ＬＥＤ基板６３０）
ＬＥＤ基板６３０は、ブッシュ６３２と基板取付ねじ６３１のねじ軸部６３１ｂ（ねじ棒）とを貫通させる基板貫通孔６３３を中央部に有する。本実施の形態では、ＬＥＤ基板６３０の中央部分を基板取付面６１１に固定する場合について説明するが、基板取付面６１１に固定するＬＥＤ基板６３０上の位置は、中央部分以外の箇所でもよい。基板取付面６１１に固定するＬＥＤ基板６３０上の位置に関わらず、本実施の形態を適用することができる。
【００２２】
ＬＥＤ基板６３０は、実装面６３４にＬＥＤ６４０（光源）を実装する。ＬＥＤ基板６３０の非実装面６３５は、基板取付面６１１と面接触するように取り付けられる。本実施の形態では、非実装面６３５は、絶縁シート６２０を介して放熱部６１０の基板取付面６１１に当接（面接触）する。
【００２３】
（絶縁シート６２０）
上述したように、絶縁シート６２０は、ＬＥＤ基板６３０の周縁の断面から露出する金属部分と基板取付面６１１との絶縁距離を確保するために用いられる。しかし、例えば、ＬＥＤ基板６３０の周縁の断面から金属部分が露出しないようにコーティングする等の加工を施すことにより、絶縁シート６２０を省くことができる場合がある。以下の説明において、「非実装面６３５と基板取付面６１１とが面接触する」、「非実装面６３５と基板取付面６１１とが当接する」、「非実装面６３５と基板取付面６１１とが密着する」等と記載した場合には、絶縁シート６２０あるいはコーティング等により、ＬＥＤ基板６３０と基板取付面６１１との間が絶縁されていることが前提である。
【００２４】
ＬＥＤ基板６３０の非実装面６３５と放熱部６１０の基板取付面６１１とは、面接触するとともに熱接続している。基板取付面６１１は、ＬＥＤ基板６３０に実装されているＬＥＤ６４０から発生する熱を受け取る。そして、基板取付面６１１で受け取られた熱は、放熱部６１０の放熱フィン６１９から放熱される。このとき、基板取付面６１１がＬＥＤ６４０から発生する熱を効率よく受け取ることができるように、基板取付面６１１とＬＥＤ基板６３０の非実装面６３５とはできるだけ密着させることが好ましい。
【００２５】
（押さえ枠６５０）
押さえ枠６５０は、開口を有するリング状（環状）の枠である。押さえ枠６５０は、ＬＥＤ基板６３０の実装面６３４の周縁近傍を基板取付面６１１方向に押し付けながら基板取付面６１１に固定される。これにより、ＬＥＤ基板６３０の周縁近傍を基板取付面６１１に固定させる。押さえ枠６５０は、開口部分にＬＥＤ６４０が位置するようにＬＥＤ６４０の周囲に配置される。
【００２６】
（カバー６６０）
カバー６６０は、押さえ枠６５０の開口に位置するＬＥＤ６４０を覆うように基板取付面６１１に固定される。
【００２７】
（反射部６７０）
反射部６７０は、光の照射方向に広がって形成される反射板６７５と、光の照射方向の反対側に形成された開口（底部開口６７４）と、反射板６７５の光の照射方向側の端部に設けられた化粧枠６７６とを備える。また、反射部６７０は、放熱部６１０を固定するヒートシンク固定部６７３と、照明器具６００を天井面等に設けられた取り付け孔に固定するための板バネ６７１及び止め具６７２とを備える。図１、図２に示すように、反射部６７０は、ＬＥＤ基板６３０に実装された複数のＬＥＤ６４０を収納してＬＥＤ６４０の発した光を出射する光出口６７７（底部開口６７４に対して反対側の開口）が形成されている。反射部６７０は、内側が反射面（反射板６７５）に形成され、かつ、光出口６７７の周縁に設けられた外向フランジ部６７６−１であって照明器具６００が取付開口穴６８１（図６、図７）に埋め込まれると、取付開口穴６８１の周縁周辺の下面６８０Ｂ（図６）に対向する外向フランジ部６７６−１を有する。止め具６７２（第１支持具）は、後述の図８（ａ）などに示すように、光出口６７７の周に沿うように反射部６７０に取り付けられ、同様に、板バネ６７１も光出口６７７の周に沿うように反射部６７０に取り付けられる。
【００２８】
図７は、照明器具６００を天井板６８０に設けられた取付開口穴６８１に取り付ける過程を示す図である。（ａ）は取付前、（ｂ）は取付中、（ｃ）は取付後を示す。「（ａ）取付前」から「（ｂ）取付中」では、板バネ６７１、止め具６７２を取付開口穴６８１を通すようにして、照明器具６００を上方に持ち上げる。
図８は、取付前における（ａ）上面図、（ｂ）Ａ−Ａ断面図、（ｃ）Ｃ方向矢視を示す
図９は、取付後における（ａ）上面図、（ｂ）Ａ−Ａ断面図、（ｃ）Ｃ方向矢視を示す。図８（ｃ）では上方に位置する押え金具６７２−６が、図９（ｃ）では下方に位置している。板バネ６７１、止め具６７２の動作については、以下に、個別に後述する。
【００２９】
（止め具６７２の動作）
図１０〜図１３を参照して、止め具６７２（押え金具６７２−６）の動作を説明する。止め具６７２は様々なタイプが考えられるが、以下では、止め具６７２を、照明器具本体５０１に配置される取付装置５０３として説明する。すなわち、図１〜図９で述べた止め具６７２は、取付装置５０３の構成とする。
【００３０】
図１０は、照明器具本体５０１の斜視図である。図１０において、照明器具本体５０１は、下端外周縁部に外向フランジ部５０２が設けられている。照明器具本体５０１は、照明器具本体５０１を天井に取り付けるための取付装置５０３を備える。取付装置５０３は照明器具本体５０１を挟んで対称位置に各１個設置されている。取付装置５０３は一端が照明器具本体５０１の外向フランジ部５０２に固定されたアーム５０４、交差部がアーム５０４の下端部に取り付けられたＶ型バネ５０５、アーム５０４とＶ型バネ５０５に係合してアーム５０４に沿って上下方向移動可能に取り付けられた押え金具５０６および押え金具５０６に係合して押え金具５０６を下方へ引き落す引き落し金具５０７から構成されている。
【００３１】
アーム５０４は矩形状に形成され、その縁部５０４ａが内側（アーム５０４を照明器具本体５０１に取り付けたときにおける照明器具本体５０１側）に折り曲げられ断面コ字状に形成されている。アーム５０４の両側の縁部５０４ａにはスリット５０４ｂが設けられている。なお、このアーム５０４は外向フランジ部５０２に対してほぼ直角に立設されている。
【００３２】
次に、押え金具５０６の形状について説明する。押え金具５０６は矩形状の押え片５０６ａ、押え片５０６ａの上部両側に形成されたガイド片５０６ｂ、両ガイド片５０６ｂのすぐ下方に設けられＶ型バネ５０５と係合する係合片５０６ｃ、押え片５０６ａの下部両側に形成された押圧片５０６ｄを備えている。ガイド片５０６ｂはアーム５０４に設けられた両縁部５０４ａに係合して、押え金具５０６をアーム５０４の上下方向移動可能に案内する。
【００３３】
次に、引き落し金具５０７の形状について説明する。引き落し金具５０７は線材をＵ字状に曲げ加工して形成されたものであり、腕部５０７ａと両方の腕部５０７ａを接続する接続部５０７ｂとから構成されている。そして、腕部５０７ａの先端部は内方に折り曲げられさらに先端側が照明器具本体５０１側へ折り曲げられている。また、両腕部５０７ａの基端部は照明器具本体５０１から離れる方向へ折り曲げられ、外方へ突出している。
【００３４】
図１１はＶ型バネ５０５をアーム５０４に組み付けた状態を示す斜視図である。図１１に基づいてＶ型バネ５０５の形状について説明する。Ｖ型バネ５０５は１本のバネ線材を曲げ加工して形成され、両脚部５０５ａ、両脚部５０５ａの交点部にコイル状に形成されたコイル状部５０５ｂ及び両脚部５０５ａの先端に形成されたリング部５０５ｃから構成されている。そして、両脚部５０５ａの中央より若干先端寄りの位置が外方向（アーム５０４を照明器具本体５０１に取り付けたときにおける照明器具本体５０１から離れる方向）でかつ両脚部５０５ａが近付く方向に折り曲げられ、先端折曲部５０５ｅが形成されている。
【００３５】
図１２はアーム５０４にＶ型バネ５０５を組み付けた状態の側面図である。この図から分かるように、Ｖ型バネ５０５の両脚部５０５ａとアーム５０４は所定の角度αを成して装着されている。
【００３６】
次に、再び図１０に基づいて、上記のように構成されたアーム５０４、Ｖ型バネ５０５、押え金具５０６及び引き落し金具５０７の組み付け状態について説明する。図１０に示したように、Ｖ型バネ５０５の両脚部５０５ａは押し狭められた状態でその先端折曲部５０５ｅが押え金具５０６のガイド片５０６ｂに外方から把持されている。このときＶ型バネ５０５はその両側の先端折曲部５０５ｅがほぼ平行になると共に外方に向かって延出した形状になる。そのため押え片５０６ａはアーム５０４側に密着した状態でアーム５０４の上部に保持される。また、引き落し金具５０７はその先端部がアーム５０４のスリット５０４ｂに挿入されると共に、押え金具５０６のガイド片５０６ｂ上部に係合した状態でアーム５０４に取り付けられている。このとき、Ｖ型バネ５０５はその弾性により広がろうとしているが、先端折曲部５０５ｅがほぼ平行であるため、押え金具５０６に下向きの力を及ぼすことはない。この図１０に示す状態が照明器具本体５０１を天井に取り付ける前のセッティング状態である。
【００３７】
次に、図１０のようにセッティングされた照明器具本体５０１を天井に取り付ける方法及びその際の取付装置５０３の動作を説明する。セッティング状態にある照明器具本体５０１を天井に設けた取付開口穴５１３に挿入する。そして、引き落し金具５０７の接続部５０７ｂが天井下面５１２に当接し、さらに照明器具本体５０１を押し上げると接続部５０７ｂが天井下面５１２により押し下げられる。接続部５０７ｂが押し下げられると、押え金具５０６のガイド片５０６ｂ上部に係合している引き落し金具５０７の先端部が押え金具５０６を引き下げることになる。
【００３８】
押え金具５０６が引き下げられ、押え金具５０６の係合片５０６ｃがＶ型バネ５０５の先端折曲部５０５ｅを通過してＶ形状部に至ると、Ｖ型バネ５０５の広がろうとする力が押え金具５０６の係合片５０６ｃに下方に向かう力を及ぼすことになる。また、このＶ形状部ではＶ型バネ５０５の両脚部５０５ａがアーム５０４と所定の角度αを成しているので、両脚部５０５ａに係合している押え金具５０６の係合片５０６ｃはその両端部の上部側がＶ型バネ５０５によって内方（照明器具本体５０１側方向）に押されることになる。その結果、押え金具５０６の押え片５０６ａの下端部がアーム５０４から浮き上がることになる。すなわち、押え金具５０６の係合片５０６ｃがＶ型バネ５０５のＶ形状部に至った状態では、Ｖ型バネ５０５は押え片５０６ａの下端部をアーム５０４から離れる方向に付勢すると共に押え金具５０６を下方へ移動させる方向にも付勢することになる。
【００３９】
押え金具５０６はＶ型バネ５０５の付勢力によって押え片５０６ａの下端部をアーム５０４から浮き上がらせた状態でアーム５０４に沿って降下して押え片５０６ａの下端部が天井の上面５１１に当接すると、図１３に示すように押え片５０６ａの下端部と照明器具本体５０１の外向フランジ部５０２によって天井板５１０を挟持することになり、照明器具本体５０１は天井に取り付けられる。
【００４０】
（天井面から取り外す場合）
次に、上記のようにして天井面に取り付けられた照明器具の取り外し方法及びその際の取付装置５０３の動作を説明する。照明器具を取り外すには、照明器具本体５０１を下方へ引き下げる。このとき、押え片５０６ａの下端部は天井の上面５１１に当接した状態で押え金具５０６がアーム５０４上を上方に移動する。そして、押え金具５０６の係合片５０６ｃがＶ型バネ５０５の両脚部５０５ａにおける折曲部を通過し、先端折曲部５０５ｅに至ると押え金具５０６のＣ型部が先端折曲部５０５ｅに沿って外方に移動し、図１０に示したように押え片５０６ａはアーム５０４側に密着する。このような状態になることによって、埋込式照明器具を取付開口穴５１３から下方に抜き取ることができる。
【００４１】
図１４〜図１６を参照して、図１〜図９で述べた板バネ６７１の動作を説明する。以下では、板バネ６７１を、第１板バネ４０３ａと想定して説明する。すなわち、図１〜図９で述べた板バネ６７１は、第１板バネ４０３ａの構成とする。図１４は、照明器具の斜視図である。図１５は、図１４の照明器具を天井に固定するための板バネの配置説明図である。この照明器具は、ランプを内部に収納してランプの光を光出口４０１ａから射出するランプケース４０１（以下、ケース４０１という）、ケース４０１の光出口４０１ａの外周を構成して、取り付けようとする天井の開口周縁と係合する天井取付部材とを備える。ケース４０１は内側が光反射面として構成された筒状体であり、その外形は光出口４０１ａを形成している平面と直交するケース４０１の中心軸に対して基本的に対称となっている。なお、ケース４０１は筒状に限らず、回転楕円状、半球状等他の形状であってもよい。
【００４２】
天井取付部材は、ケース４０１の光出口４０１ａの先端部外周に配置された枠（または枠体）４０２と、この枠４０２からケース４０１の側面（外側壁面）４０１ｂ方向へ斜めに延びて天井の開口部周縁と弾性力を利用して係合可能な板バネとからなる。なお、ケース４０１と枠４０２とは一体成形で形成してもよい。
【００４３】
板バネは、一対の第１板バネ４０３ａ，４０３ａと、第１板バネ４０３ａより長さの短い一対の第２板バネ４０３ｂ，４０３ｂとからなる。第１板バネ４０３ａ，４０３ａはケース４０１を挟んで対向配置され、第２板バネ４０３ｂ，４０３ｂは第１板バネ４０３ａ，４０３ａが対向する方向とほぼ直交する方向にケース４０１を挟んで対向配置されている。すなわち、ケース４０１の光出口４０１ａ方向から見た各板バネの配置は図１５に示すようになっている。第２板バネ４０３ｂの長さは、第１板バネ４０３ａより少なくとも天井の板厚分は短くするものとし、第１板バネ４０３ａの１／２程度とするのが好ましく、第１板バネ４０３ａの１／３程度とするのがより好ましい。このような板バネの長さの相違により、照明器具を天井に取り付ける際の操作性（または取扱性）が向上するからである。なお、ここでは第１板バネ４０３ａおよび第２板バネ４０３ｂの枠４０２側を根本部４０３ａｒ，４０３ｂｒとし、第１板バネ４０３ａおよび第２板バネ４０３ｂの開放端側を先端部４０３ａｔ，４０３ｂｔとし、第１板バネ４０３ａの先端部４０３ａｔには天井の開口部周縁に引掛り可能な折曲部を設けている。
【００４４】
また、ケース４０１の光出口４０１ａと反対側の上部からは天板４０５がケース４０１の中心軸方向と略直交する方向に延ばされ、その天板４０５には、ランプの電流制御を行う安定器４０６や電源端子台４０７が搭載されている。
【００４５】
図１６は、照明器具の天井への取付方法を示す図である。図１６を参照して、照明器具の天井への取付方法を説明する。まず、第１板バネ４０３ａ，４０３ａを操作しながら安定器４０６およびケース４０１を第１板バネ４０３ａ，４０３ａとともに天井４０８の開口部４０９から天井裏へ挿入し、第１板バネ４０３ａ，４０３ａの先端部（折曲部）４０３ａｔを天井４０８の開口部４０９周縁に掛止させて、照明器具を仮止めする（図１６（ａ））。続いて、第２板バネ４０３ｂ，４０３ｂを操作しながら安定器４０６およびケース４０１を第１板バネ４０３ａ，４０３ａおよび第２板バネ４０３ｂ，４０３ｂとともに天井４０８の開口部４０９内へ更に挿入し、枠４０２が天井４０８の開口部４０９周縁に届くまで押し込む（図１６（ｂ））。こうすることで、第１板バネ４０３ａ，４０３ａおよび第２板バネ４０３ｂ，４０３ｂの根本部４０３ａｒ，４０３ｂｒがその弾性力により開口部４０９周縁の内面を押し広げるよう開口部４０９の周縁に当たって係合し、照明器具が天井４０８に固定される（図１６（ｃ））。
【００４６】
次に、図１７〜図２０を参照して、止め具６７２の別のバリエーション（本体取り付けバネ１８０）を説明する。以下の図１７〜図２０の説明では、止め具６７２の代替となる本体取り付けバネ１８０、及び本体取り付けバネ１８０に関係する本体取付け開口部１１３、取り付けバネ当接部１１４等の要素についてのみ説明する。図１０〜図１３では、Ｖ型バネ５０５によって下方に付勢される押え金具５０６を有する取付装置５０３を説明した。以下の図１７〜図２０では、止め具６７２に相当する要素として、本体取り付けバネ１８０を説明する。以下では本体取り付けバネ１８０が照明器具８００に使用される場合を説明するが、図１〜図９で説明した照明器具６００に本体取り付けバネ１８０が使用される場合、照明器具６００は、以下に説明する機器本体１１０（図１８）、本体取付け開口部１１３（図１８）、取り付けバネ当接部１１４（図１８）等の要素を有することになる。本体取り付けバネ１８０は、機器本体１１０を取り付け面に固定するための部品である。後述のように、二つの本体取り付けバネ１８０は、機器本体１１０の外側の互いに対称な位置に取り付けられる。
【００４７】
図１７は、本体取り付けバネ１８０が使用される照明器具８００の外観を示す斜視図及び分解斜視図である。照明器具８００は、本体部１００と枠部２００とに分解でき、本体部１００は、機器本体１１０と電池ケース１２０とからなる。本体取り付けバネ１８０は、機器本体１１０を天井などの取り付け面に固定するための部分である。図１７に示すように、二つの本体取り付けバネ１８０は、機器本体１１０の外側の互いに対称な位置に取り付けられる。
【００４８】
図１８は、本体部１００をさらに分解した斜視図である。図１８では、２つの本体取り付けバネ１８０と、本体取付け開口部１１３との関係を示した。本体取付け開口部１１３（側面開口部）は、本体取り付けバネ１８０を取り付けるために、二つの枠取付け開口部１１１に挟まれた間の位置に設けられた穴であり、略Ｔ字状の形状である。本体取付け開口部１１３は、Ｚ方向に細長く、一番上の端の部分が、幅が広くなっていて、ここから本体取り付けバネ１８０を挿入することにより、本体取り付けバネ１８０を取り付ける。取り付けバネ当接部１１４は、機器本体１１０の円筒状側面の一部を潰して平らにしたような形状であり、本体取付け開口部１１３の周囲の本体取り付けバネ１８０と当接する部分に設けられている。
【００４９】
本体取り付けバネ１８０は、一部が機器本体１１０内に収納され、残りの部分が本体取付け開口部１１３から機器本体１１０の外に出る位置に取り付けられる。
【００５０】
図１９は、本体取り付けバネ１８０を示す正視図である。本体取り付けバネ１８０（取付具）は、一枚の板を折り曲げた形状の板バネであり、中央接続部１８１、下端舌部１８２、二つの開口挿入部１８３、二つの押さえ爪部１８４、二つの裏面押さえ部１８５、二つの翼部１８６、二つの上端舌部１８７を有する。本体取り付けバネ１８０は、上端舌部１８７を除き、左右ほぼ対称な形状である。中央接続部１８１は、概ね長方形状である。下端舌部１８２は、中央接続部１８１の下側の辺から先を奥の方へ約９０度折り曲げた形をしている。開口挿入部１８３は、中央接続部１８１の左右の辺から先を下端舌部１８２と同じ奥の方へ約９０度折り曲げた形をしている。二つの開口挿入部１８３は、互いにほぼ平行である。押さえ爪部１８４は、開口挿入部１８３の斜め上側の辺から先を外の方へ約９０度折り曲げた形であり、牛の角のような形状である。二つの押さえ爪部１８４は、ほぼ同じ平面上にある。裏面押さえ部１８５は、開口挿入部１８３の奥側の辺から先を外の方へ約９０度折り曲げた形をしている。二つの裏面押さえ部１８５は、ほぼ同じ平面上にある。翼部１８６は、裏面押さえ部１８５の外側の辺から先を奥の方へ約９０度折り曲げた形をしている。二つの翼部１８６は、互いにほぼ平行である。上端舌部１８７は、翼部１８６の上側の辺から先を内の方へ約９０度折り曲げた形をしている。二つの上端舌部１８７は、互いにほぼ平行であり、先端が重なっている。
【００５１】
図２０は、機器本体１１０を示す正面図及びＢ−Ｂ端面図（一部）及び破断背面図である。本体取付け開口部１１３の上端付近の幅Ｗ３は、本体取り付けバネ１８０の二つの翼部１８６間の長さより長く、本体取り付けバネ１８０の先端を、機器本体１１０の外から内へ挿入することができる。本体取付け開口部１１３の下側の幅Ｗ４は、本体取り付けバネ１８０の中央接続部１８１の幅よりもわずかに狭く、本体取り付けバネ１８０の先端を挿入すると、本体取り付けバネ１８０がわずかに変形し、板バネの応力で本体取り付けバネ１８０が固定される。本体取り付けバネ１８０の開口挿入部１８３の下端と、機器本体１１０の鍔部１１５との間に取り付け面を挟み込む位置に、本体取り付けバネ１８０を固定する。このとき、本体取り付けバネ１８０の押さえ爪部１８４と、裏面押さえ部１８５との間に、機器本体１１０の取り付けバネ当接部１１４が挟まれている。機器本体１１０が下方向に動こうとすると、押さえ爪部１８４を下に曲げようとする力が働くので、押さえ爪部１８４と裏面押さえ部１８５との間隔が狭くなり、取り付けバネ当接部１１４を強く挟み込み、機器本体１１０が動くのを防ぐ。
【００５２】
本体取り付けバネ１８０が取り付けられる位置は、枠取付けバネ２１０の輪部２１１の上、二つの腕部２１２の間の位置になる。したがって、本体取り付けバネ１８０と枠取付けバネ２１０とは干渉することはない。
【００５３】
以上、図３、図８等に示したように、照明器具６００が、３つの板バネ６７１、及び３つの止め具６７２を備える構成を説明した。板バネ６７１、止め具６７２の個数としては各３個が好ましいが、限定するものではない。各個数は、照明器具の大きさや重量等によって適宜、変更することができる。
図２１は、照明器具６００の上面図を単純化した図であるが、（ａ）のように各２個（９０度おき）でもよいし、（ｂ）のように各４個（４５度おき）でもよい。
【００５４】
実施の形態１の照明器具６００では、３組の止め具６７２と、３組の板バネ６７１とを、化粧枠６７６の周囲に上面矢視でみて交互に６０度間隔で配置する構成とした。この構成によって、照明器具６００は取り付け作業性が良好であり、また天井面に確実に取り付けることが可能となる。また、照明器具６００の前記構成によって、放熱部６１０の大型化に伴い照明器具６００の重量が増大した場合にも、上下方向及び水平方向の動きを、簡易な構成で拘束することができる。照明器具６００の前記構成は、放熱部６１０に起因する重量増加に限らず、電源装置に起因する重量増加など、あらゆる重量増加に対して適用できる。
【符号の説明】
【００５５】
１１０  機器本体、１１１  枠取付け開口部、１１３  本体取付け開口部、１１４  取り付けバネ当接部、１１５  鍔部、１７１  電池収納部、１８０  本体取り付けバネ、１８１  接続部、１８２  下端舌部、１８３  開口挿入部、１８４  押さえ爪部、１８５  裏面押さえ部、１８６  翼部、１８７  上端舌部、４０１  ケース、４０１ａ  光出口、４０１ｂ  側面、４０２  枠、４０３ａ  第１板バネ、４０３ｂ  第２板バネ、４０３ａｒ，４０３ｂｒ  根本部、４０３ａｔ，４０３ｂｔ  先端部、４０５  天板、４０６  安定器、４０７  電源端子台、４０８  天井、４０９  開口部、５０１  照明器具本体、５０２  外向フランジ部、５０３  取付装置、５０４  アーム、５０４ａ  縁部、５０４ｂ  スリット、５０５  Ｖ型バネ、５０５ａ  両脚部、５０５ｂ  コイル状部、５０５ｃ  リング部、５０５ｅ  先端折曲部、５０６  押え金具、５０６ａ  押え片、５０６ｂ  ガイド片、５０６ｃ  係合片、５０６ｄ  押圧片、５０７  引き落し金具、５０７ａ  腕部、５０７ｂ  接続部、５１０  天井板、５１１  天井の上面、５１２  天井下面、５１３  取付開口穴、６００  照明器具、６１０  放熱部、６１１  基板取付面、６１９  フィン、６２０  絶縁シート、６３０  ＬＥＤ基板、６３１  基板取付ねじ、６３２  ブッシュ、６３３  基板貫通孔、６３４  実装面、６３５  非実装面、６４０  ＬＥＤ、６５０  押さえ枠、６６０  カバー、６７０  反射部、６７１  板バネ、６７２  止め具、６７２−６  押え金具、６７３  ヒートシンク固定部、６７４  底部開口、６７５  反射板、６７６  化粧枠、６７６−１  外向フランジ部、６７７  光出口、６８０  天井板、６８０Ａ  上面、６８０Ｂ  下面、６８１  取付開口穴。
【図１】
0005825942.tif 000002
【図２】
0005825942.tif 000003
【図３】
0005825942.tif 000004
【図４】
0005825942.tif 000005
【図５】
0005825942.tif 000006
【図６】
0005825942.tif 000007
【図７】
0005825942.tif 000008
【図８】
0005825942.tif 000009
【図９】
0005825942.tif 000010
【図１０】
0005825942.tif 000011
【図１１】
0005825942.tif 000012
【図１２】
0005825942.tif 000013
【図１３】
0005825942.tif 000014
【図１４】
0005825942.tif 000015
【図１５】
0005825942.tif 000016
【図１６】
0005825942.tif 000017
【図１７】
0005825942.tif 000018
【図１８】
0005825942.tif 000019
【図１９】
0005825942.tif 000020
【図２０】
0005825942.tif 000021
【図２１】
0005825942.tif 000022